(57)【要約】【課題】  ティッシュ箱を机やテーブルの下面など所望の場所に設置した場合であってもティッシュペーパを容易に引き出すことができ、ティッシュ箱を確実に保持すると共にその交換も容易なティッシュ箱ホルダを提供する。【解決手段】  本発明のティッシュ箱ホルダ１は、ティッシュ取出口２ａが形成される底板２ｂと、底板２ｂの周囲を取り囲む側板２ｃと、底板２ｂと側板２ｃとによって囲まれたティシュ箱４の収納部２ｄと、を有するホルダ本体２を備えている。底板２ｂの隅部２ｅには、収納されたティッシュ箱４が載置される支持部２ｆが設けられている。この支持部２ｆは、底板２ｂの内側面より高い位置でティッシュ箱４を支持する。【選択図】  図１
2019146725.tif 000002
【特許請求の範囲】
【請求項１】
ティッシュ取出口が形成される底板と、底板の周囲を取り囲む側板と、前記底板と側板とによって囲まれたティシュ箱の収納部と、を有するホルダ本体を備え、
前記ホルダ本体の底板の隅部には、前記ホルダ本体の収納部に配置されたティッシュ箱が載置される支持部が設けられ、この支持部が底板の内側面より高い位置でティッシュ箱を支持するティッシュ箱ホルダ。
【請求項２】
前記支持部は、底板と一体に形成され、底板の内側面から収納部内に突出している請求項１に記載のティッシュ箱ホルダ。
【請求項３】
前記支持部は、前記ホルダ本体の底板の隅部を挟む隣接する二辺を含んでいる請求項１又は２に記載のティッシュ箱ホルダ。
【請求項４】
前記支持部は、前記ホルダ本体の底板の隅部を挟む隣接する二辺をつなぐリブである請求項１乃至３のいずれかに記載のティッシュ箱ホルダ。
【請求項５】
前記リブは底板の隅部を挟む隣接する二辺を直線状につないでいる請求項４に記載のティッシュ箱ホルダ。
【請求項６】
前記リブは底板の隅部を挟む隣接する二辺の間を連続的又は断続的につないでいる請求項４又は５に記載のティッシュ箱ホルダ。
【請求項７】
前記ホルダ本体が収納部の上方に形成されるティッシュ箱取出口を有し、このティッシュ箱取出口を開閉可能に閉塞する蓋体を備える請求項１に記載のティッシュ箱ホルダ。
【請求項８】
前記ホルダ本体及び蓋体は、ホルダ本体に設けられたティッシュ箱取出口の一端側がヒンジによって連結され、ティッシュ箱取出口の他端側に着脱可能な係合手段を有する請求項７に記載のティッシュ箱ホルダ。
【請求項９】
前記蓋体は、ホルダ本体に設けられたティッシュ箱取出口を閉塞する閉塞板を有し、閉塞板の外側面にはホルダ取付部材の取付面に止着される止着手段が設けられる請求項７又は８に記載のティッシュ箱ホルダ。
【発明の詳細な説明】
【技術分野】
【０００１】
本発明は、ティッシュ箱を収納し、所望の場所に設置することができるティッシュ箱ホルダに関するものであり、特に、ティッシュペーパの引き出しを容易にするものに関する。
【背景技術】
【０００２】
ティッシュペーパを内包するティッシュ箱を、机やテーブルなどの下面、自動車室内の所望の場所に設置するティッシュ箱ホルダとして、ティッシュ箱の底面を覆い、側面の一部に係合すると共に他の側面から表面の中央に回り込むように係合してティッシュ箱を保持するホルダが提案されている（例えば、特許文献１参照）。
【先行技術文献】
【特許文献】
【０００３】
【特許文献１】特開２００９-１１７７５号公報
【発明の概要】
【発明が解決しようとする課題】
【０００４】
しかしながら、上記ホルダでは、ティッシュペーパの引出口が設けられているティッシュ箱の上面の中央の縁が２点で保持されるため、机やテーブルなどの下面等にホルダ底面を貼り付けて設置した場合、ティッシュ箱の上面の中央を支持するだけで極めて不安定な状態になり、ティッシュ箱が外れる可能性があった。また、ティッシュ箱のティッシュペーパの引出口付近を支えていることで、ティッシュ箱に内包されているティッシュペーパ全体の荷重が引出口付近に集中することになる。このため、引き出そうとするティッシュペーパが引出口付近で押えられ、極めて引き出し難い状態になり、ティッシュペーパが破れるか、２、３枚まとめて引き出されてしまうことがあった。
【０００５】
そこで、ホルダを箱状に形成するか或いはティッシュ箱の上面を大きく覆って支えるように構成を変更することが試行されたが、ティッシュペーパの荷重が引出口付近に加わることを解消することはできず、引き出し難い状態を克服することはできなかった。
【０００６】
また、机やテーブルなどの下面等にホルダを貼り付けた場合、ティッシュ箱が脱落しないように確実に保持すると共に、ティッシュ箱の交換が容易であることが好ましく、強固に保持すると交換し難くなることがあり、それらを両立させることが求められていた。
【０００７】
本発明が解決しようとする課題は、上記従来技術の問題点を解決し、ティッシュ箱を机やテーブルの下面など所望の場所に設置した場合であってもティッシュペーパを容易に引き出すことができ、ティッシュ箱を確実に保持すると共にその交換も容易なティッシュ箱ホルダを提供することにある。
【課題を解決するための手段】
【０００８】
本発明のティッシュ箱ホルダは、ティッシュ取出口が形成される底板と、底板の周囲を取り囲む側板と、前記底板と側板とによって囲まれたティシュ箱の収納部と、を有するホルダ本体を備え、前記ホルダ本体の底板の隅部には、前記ホルダ本体の収納部に配置されたティッシュ箱が載置される支持部が設けられ、この支持部が底板の内側面より高い位置でティッシュ箱を支持する。
【０００９】
また、本発明のティッシュ箱ホルダは、前記支持部が、ホルダ本体の底板の隅部を挟む隣接する二辺をつなぐリブで構成されていてもよい。さらに前記リブは、底板の隅部を挟む隣接する二辺の間を連続的又は断続的に直線状につなぐものであってもよい。
【００１０】
また、本発明のティッシュ箱ホルダは、前記ホルダ本体が収納部の上方に形成されるティッシュ箱取出口を有し、このティッシュ箱取出口を開閉可能に閉塞する蓋体を備えていてもよい。さらに前記蓋体は、ホルダ本体に設けられたティッシュ箱取出口を閉塞する閉塞板を有し、閉塞板の外側面にはホルダ取付部材の取付面に止着される止着手段が設けられていてもよい。
【発明の効果】
【００１１】
本発明のティッシュ箱ホルダでは、ティッシュ箱を収納するホルダ本体の底板の隅部に設けた支持部により、収納したティッシュ箱のティッシュ引出口が設けられた側を底板の内側面よりも高い位置で支えているので、机やテーブルなどの下面にティッシュ箱ホルダを設置した場合でも、ティッシュ箱に内包されたティッシュの重みなどでティッシュ引出口の付近が下方に撓んだとしても、ホルダ本体の底板の内側面に当たることがないので、ティッシュペーパを容易に引き出すことができる。
【００１２】
また、ホルダ本体にこのホルダ本体のティッシュ箱取出口を塞ぐ蓋体を開閉自在に取り付けているため、ティッシュ箱の交換を容易にすることができる。さらに、蓋体の外側面に設けた止着手段によって、机やテーブルなどの下面などにティッシュ箱ホルダを容易に設置することができる。
【図面の簡単な説明】
【００１３】
【図１】本発明の一実施形態に係るティッシュ箱ホルダを底面側から見た斜視図である。
【図２】ティッシュ箱ホルダのホルダ本体と蓋体を開いた状態を示す斜視図である。
【図３】図２に示すホルダ本体の支持部付近を拡大した斜視図である。
【図４】（ａ）は図２に示すヒンジ付近を拡大した分解斜視図であり、（ｂ）はヒンジを組み付けた拡大斜視図である。
【図５】ティッシュ箱ホルダを蓋体側から見た斜視図である。
【図６】ティッシュ箱ホルダをホルダ取付部材の下面に設置した状態を示す斜視図である。
【図７】ホルダ取付部材の下面に設置されたティッシュ箱ホルダの断面図である。
【図８】ティッシュ箱からティッシュを引き出す際のリブの作用を示す断面図である。
【図９】複数の突起によって形成される直線状のリブを示す斜視図である。
【図１０】三角状の肉厚部によって形成される段状面を示すホルダ本体の平面図である。
【図１１】図１０のＡ−Ａ断面図である。
【発明を実施するための形態】
【００１４】
以下、本発明に係るティッシュ箱ホルダの実施形態を図面に基づいて詳細に説明する。なお、図面は、本発明のティッシュ箱ホルダを模式的に表したものである。ティッシュ箱ホルダ及びその構成部材の実物の寸法及び寸法比は、図面上の寸法及び寸法比と必ずしも一致していない。また、重複説明は適宜省略させることがあり、同一部材には同一符号を付与することがある。さらに、本発明の技術的範囲は以下で説明する各実施の形態には限定されず、特許請求の範囲に記載された発明とその均等物に及ぶ点に留意されたい。
【００１５】
図１乃至図５には本発明に一実施形態に係るティッシュ箱ホルダ１が示される。このティッシュ箱ホルダ１は、内部にティッシュ箱４を収納するホルダ本体２と、このホルダ本体２のティッシュ箱取出口２ｊを塞ぐ蓋体３と、を備えている。
【００１６】
前記ホルダ本体２は、ティッシュ箱４のティッシュ引出口４ａより大きい形状のティッシュ取出口２ａが中央に形成される矩形状の底板２ｂと、底板２ｂの四辺から立ち上がって底板２ｂの周囲を取り囲む側板２ｃと、底板２ｂと側板２ｃとによって囲まれた略直方体形状の空間からなるティシュ箱４の収納部２ｄと、を有している。底板２ｂの内側の４つの隅部２ｅには、収納部２ｄに収められたティッシュ箱４のティッシュ引出口４ａが設けられた引出側面４ｂ（ティシュ箱４の上面）の四隅付近を支持する支持部２ｆが設けられている。
【００１７】
この支持部２ｆは、底板２ｂの内側面２ｇから収納部２ｄ内に突出し、底板２ｂの隅部２ｅを三角形状に仕切る筋状のリブあるいは隅部２ｅを含む三角形状の肉厚部からなる段状面からなる。本実施形態における支持部２ｆは、底板２ｂと一体に形成され、底板２ｂの隅部２ｅを挟む隣接する二辺２ｈ，２ｉをつなぐ直線状の連続リブ２ｆ’で構成されている。連続リブ２ｆ’の収納部２ｄ内への突出高さは特に限定されない。
【００１８】
蓋体３は、ホルダ本体２のティッシュ箱取出口２ｊを閉塞する矩形状の閉塞板３ａと、この閉塞板３ａの四辺から立ち上がって閉塞板３ａの周囲を取り囲む立上部３ｂとを備えており、ホルダ本体２に開閉可能に取り付けられている。
【００１９】
本実施形態におけるホルダ本体２と蓋体３は、図２に示すように、ヒンジ５によって連結されている。ホルダ本体２のティッシュ箱取出口２ｊの一端側には、図３に示すように、先端がティッシュ箱取出口２ｊから図中上方に突出するように側板２ｃと一体に形成され且つ先端の一部が円柱形状をなす軸部２ｋが設けられている。また、図４（ａ）に示すように、蓋体３には、ホルダ本体２の軸部２ｋに適合するように立上部３ｂの一部を凹形状に形成すると共にその縁部分で軸部２ｋの先端を受ける軸受部３ｃが設けられている。
【００２０】
本実施形態では、軸受部３ｃに軸部２ｋを嵌合させ、更に、軸受部３ｃを塞いで軸部２ｋとの嵌合状態を保持させる細長い係合板６を取り付けることでヒンジ５を構成している。係合板６は、図５に示すように、蓋体３の閉塞板３ａの一部分に切り離し可能な状態で一体に形成されている。また、この係合板６は、図４（ａ），（ｂ）に示すように、蓋体３に設けられた互い違いに突出したフック３ｄ，３ｅに端部６ａが係合することで取り付けられている。
【００２１】
また、本実施形態におけるホルダ本体２と蓋体３は、ヒンジ５に相対するティッシュ箱取出口２ｊの他端側に設けられた着脱可能な係合手段７により、ホルダ本体２のティッシュ箱取出口２ｊを塞いだ閉状態に保持される。この係合手段７は、ホルダ本体２のティッシュ箱取出口２ｊの他端側に位置し、側板２ｃに縁から切り込みを入れることでバネ性を有する舌片状に形成されたフック部２ｍと、このフック部２ｍに対応する位置で且つ蓋体３の立上部３ｂの一部分を外方に突出させて立上部３ｂの内側にフック部２ｍが入るスペースを作ると共に、フック部２ｍの先端が閉塞板３ａ側に係止するフック係止部３ｆと、により構成されている。
【００２２】
上記構成からなるティッシュ箱ホルダ１では、図５に示すように、蓋体３の閉塞板３ａの外側面３ｇに両面テープ等の止着部材８を取り付けることで、図６及び図７に示すように、机やテーブルなどからなるホルダ取付部材９の取付面（下面）９ａに容易に設置することができる。
【００２３】
図７及び図８に示すように、ホルダ取付部材９の下面９ａに設置されたティッシュ箱ホルダ１にはティッシュ箱４が収納されているが、このティッシュ箱４は、ティッシュ引出口４ａが設けられたティシュ箱４の上面を下向きにした状態で収納される。そのため、ティシュ箱４の上面である引出側面４ｂの四隅付近が、ホルダ本体２の支持部２ｆ上に載置されて支持される状態になる。このときに、ティッシュ箱４は、ホルダ本体２の底板２ｂの内側面２ｇより高い位置で支持されるため、ティッシュ箱４のティッシュ引出口４ａの周辺を含む引出側面４ｂとホルダ本体２の底板２ｂとの間には、支持部２ｆの高さ分の隙間１４が生じることになる。
【００２４】
このように、ティッシュ箱４の引出側面４ｂがホルダ本体２の底板２ｂの内側面２ｇに接触していないので、ティッシュ箱４の引出口４ａからティッシュペーパ１０を引出す際に、ティッシュ箱４に内包されたティッシュ１１の重みなどでティッシュ引出口４ａの付近が下方に撓んだとしても、ホルダ本体２の底板２ｂの内側面２ｇにティッシュ箱４の引出側面４ｂが当たることがないので、引き出そうとするティッシュペーパ１０が引出口４ａ付近で押えられることがなく、容易に引き出すことができる。
【００２５】
また、この実施形態ではホルダ本体２の支持部２ｆが底板２ｂの隅部２ｅを挟む隣接する二辺２ｈ，２ｉをつなぐ連続リブ２ｆ’で構成されているため、ティッシュ箱４の四隅付近を支持することができる。このティッシュ箱４の四隅付近は、それぞれ３枚の板（底板２ｂと２枚の側板２ｃ）が接している部分であって、強度が高い部分であり、この部分を支持することでティッシュ箱４を確実に支持することができ、ティッシュペーパ１０を引出す際にはティッシュ箱４の変形を防ぐことができる。
【００２６】
上記実施形態では、支持部２ｆが底板２ｂの隅部２ｅを挟む隣接する二辺２ｈ，２ｉを直線状につなぐ連続リブ２ｆ’で構成されているが、これを隅部２ｅに向かって湾曲するような曲線状に変更することも可能である。また、図９に示すように、底板２ｂの隅部２ｅを挟む隣接する二辺２ｈ，２ｉの間を複数の突起で直線状につなぐ断続リブ２ｆ’’で構成することも可能である。
【００２７】
また、図１０及び図１１に示すように、支持部２ｆは、ホルダ本体２の底板２ｂの内側面２ｇから収納部２ｄ内に突出し、底板２ｂの隅部２ｅ及び隅部２ｅを挟む隣接する二辺２ｈ，２ｉを含む三角形状の肉厚部からなる段状面２ｆ’’’として形成することも可能である。この段状面２ｆ’’’は収納部２ｄの四隅に同一形状で形成される。なお、上記支持部２は、ホルダ本体２の底板２ｂの内側の四つの隅部２ｅのうち、少なくとも一つの対角上の位置にある二つの隅部２ｅに配置されていてもよい。
【００２８】
次に、ティッシュ箱ホルダ１をホルダ取付部材９の下面９ａに取り付けた状態でティッシュ箱４を交換する場合について説明する。図５に示すように、ホルダ本体２のフック部２ｍが蓋体３のフック係止部３ｆに係止した状態を係止解除するため、フック部２ｍを内方へ押圧する。押圧されたフック部２ｍは、内方へ湾曲し、その先端がフック係止部３ｆの端部から外れて解放される。その結果、図２に示すように、ホルダ本体２は、ヒンジ５によって回動して開く。開いたホルダ本体２内のティッシュ箱４を交換した後、ホルダ本体２を回動させて閉じると、そのときにフック部２ｍに先端がフック係止部３ｆの内面に接触しながら通過し、フック係止部３ｆの端部に達してそこで係止する。このように、机やテーブルなどのホルダ取付部材９の下面９ａにティッシュ箱ホルダ１を設置しても、簡単にティッシュ箱４を交換することができる。
【００２９】
本実施形態におけるヒンジ５は、前述したように、ホルダ本体２に設けた軸部２ｋと、蓋体３に設けた軸受部３ｃと、蓋体３から切り離した係合板６により構成されている。このようにヒンジ５を構成すると、弾性を有する薄板状の樹脂ヒンジを、ホルダ本体２及び蓋体３と一体に成形した場合に比べて、ホルダ本体２と蓋体３を一体に成形する必要がないため、使用する樹脂の選択の幅を広げることができる。
【００３０】
なお、蓋体３の閉塞板３ａには、図５に示すように、蓋体３を壁等に取り付ける際に使用する取付部材１２や、ネームプレート１３等をヒンジ５の係合板６と共に切り離し可能な状態で一体に成形しても良い。
【符号の説明】
【００３１】
１      ティッシュ箱ホルダ
２      ホルダ本体
２ａ    ティッシュ取出口
２ｂ    底板
２ｃ    側板
２ｄ    収納部
２ｅ    隅部
２ｆ    支持部
２ｆ’    連続リブ
２ｆ’’    断続リブ
２ｆ’’’    段状面
２ｇ    内側面
２ｈ    辺
２ｉ    辺
２ｊ    ティッシュ箱取出口
２ｋ    軸部
２ｍ    フック部
３      蓋体
３ａ    閉塞板
３ｂ    立上部
３ｃ    軸受部
３ｄ    フック
３ｅ    フック
３ｆ    フック係止部
３ｇ    外側面
４      ティッシュ箱
４ａ    ティッシュ引出口
４ｂ    引出側面
５      ヒンジ
６      係合板
６ａ    係合板の端部
７      係合手段
８      止着部材（止着手段）
９      ホルダ取付部材
９ａ    下面（取付面）
１０    ティッシュペーパ
１１    ティッシュペーパ
１２    取付部材
１３    ネームプレート
１４  隙間
【図１】
2019146725.tif 000003
【図２】
2019146725.tif 000004
【図３】
2019146725.tif 000005
【図４】
2019146725.tif 000006
【図５】
2019146725.tif 000007
【図６】
2019146725.tif 000008
【図７】
2019146725.tif 000009
【図８】
2019146725.tif 000010
【図９】
2019146725.tif 000011
【図１０】
2019146725.tif 000012
【図１１】
2019146725.tif 000013